【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
プロセッサによって実行されると、該プロセッサに、器具と２以上の触覚通知デバイスの組との間での触覚通知メッセージの通信を容易にさせる命令が記憶された不揮発性コンピューター可読媒体であって、該命令は、
触覚通知メッセージコントローラにおいて、ネットワーク内の前記器具から前記触覚通知メッセージを受信し、該触覚通知メッセージは、該器具が該器具の１又はそれ以上の動作特性を識別するイベントを検出したことを示すことと、
該触覚通知メッセージの通知タイプに基づいて、前記触覚通知メッセージを前記ネットワーク内の前記触覚通知デバイスのうちの一部に送信すべきか否かを判断することと、
受信した前記触覚通知デバイスのうちの一部を識別する該触覚通知メッセージに含まれる識別子に従って、前記触覚通知メッセージを前記触覚通知デバイスのうちの一部に送信することと、
を含み、
前記触覚通知デバイスのうちの一部は、前記触覚通知メッセージの受信に応答してそれぞれ触覚通知を生成する、不揮発性コンピューター可読媒体。
【請求項２】
前記命令は、
前記器具を前記ネットワークに登録することと、
前記触覚通知デバイスのうちの一部を前記ネットワークに登録することと、
を更に含む、請求項１に記載の不揮発性コンピューター可読媒体。
【請求項３】
前記器具を前記ネットワークに登録することは、器具識別子を前記器具に割り当てることを更に含み、
前記触覚通知デバイスのうちの一部を前記ネットワークに登録することは、一意の触覚通知デバイス識別子を前記触覚通知デバイスの各々に割り当てることを更に含む、請求項２に記載の不揮発性コンピューター可読媒体。
【請求項４】
前記触覚通知は触覚効果を含む、請求項１に記載の不揮発性コンピューター可読媒体。
【請求項５】
前記触覚通知メッセージは通知識別子を含む、請求項４に記載の不揮発性コンピューター可読媒体。
【請求項６】
前記触覚通知メッセージを前記触覚通知デバイスの一部に送信すべきであるか否かを判断することは、
前記通知識別子に基づいて前記触覚通知メッセージの前記通知タイプを判断することと、
前記通知タイプが１つ又は複数の通知タイプの所定のセット内にあるか否かを判断することと、
を更に含む、請求項５に記載の不揮発性コンピューター可読媒体。
【請求項７】
前記触覚効果は前記通知タイプに基づいている、請求項６に記載の不揮発性コンピューター可読媒体。
【請求項８】
前記触覚効果は、振動触覚効果、変形触覚効果、又は静電摩擦触覚効果のうちの１つを含む、請求項７に記載の不揮発性コンピューター可読媒体。
【請求項９】
前記触覚通知メッセージを前記ネットワーク内の前記触覚通知デバイスのうちの一部に送信すべきか否かを判断することは、前記触覚通知デバイスの前記識別子の各々に基づいて、前記触覚通知デバイスのうちの一部の各々の前記触覚通知デバイスが前記ネットワークに登録されているかどうか判断することを更に含む、請求項１に記載の不揮発性コンピューター可読媒体。
【請求項１０】
該器具が該イベントを検出したことに応答して、該器具が触覚通知をも発生する、請求項１に記載の不揮発性コンピューター可読媒体。
【請求項１１】
前記器具は、電気ドリル、電動ノコギリ、電動釘打ちガン、電動ナイフ、又は電動ハンマーのうちの１つを含む、請求項１に記載の不揮発性コンピューター可読媒体。
【請求項１２】
前記触覚通知デバイスの各々は、触覚効果を生成するように構成されたモバイルデバイス、触覚効果を生成するように構成されたウェアラブルデバイス、又は別の器具のうちの少なくとも１つを含む、請求項１に記載の不揮発性コンピューター可読媒体。
【請求項１３】
前記イベントは、前記器具又は前記器具のコンポーネントの１つ又は複数の特性の変化、目標距離への前記器具の運動、前記器具の所定の距離内での物体の出現、前記器具の対象動作に対する前記器具のコンポーネントのサイズの不一致、又は前記器具の所定の距離内でのユーザーの出現のうちの１つを含む、請求項１に記載の不揮発性コンピューター可読媒体。
【請求項１４】
前記命令は、前記ネットワークを用いて、前記触覚通知メッセージを少なくとも１つの他の器具に送信することを更に含み、
前記少なくとも１つの他の器具は、前記触覚通知メッセージの受信に応答して触覚通知を生成する、請求項１に記載のコンピューター可読媒体。
【請求項１５】
器具と２以上の触覚通知デバイスの組との間での触覚通知メッセージの通信を容易にするコンピューター実施方法であって、該コンピューター実施方法は、
触覚通知メッセージコントローラにおいて、ネットワーク内の前記器具から前記触覚通知メッセージを受信し、該触覚通知メッセージは、該器具が該器具の１又はそれ以上の動作特性を識別するイベントを検出したことを示し、
該触覚通知メッセージの通知タイプに基づいて、前記触覚通知メッセージを前記ネットワーク内の前記触覚通知デバイスのうちの一部に送信すべきか否かを判断することと、
受信した前記触覚通知デバイスのうちの一部を識別する該触覚通知メッセージに含まれる識別子に従って、前記触覚通知メッセージを前記触覚通知デバイスのうちの一部に送信することと、
を含み、
前記触覚通知デバイスのうちの一部は、前記触覚通知メッセージの受信に応答してそれぞれ触覚通知を生成する、コンピューター実施方法。
【請求項１６】
前記触覚通知は触覚効果を含み、
前記触覚通知メッセージは通知識別子を含み、
前記触覚通知メッセージを前記触覚通知デバイスのうちの一部に送信すべきか否かを前記判断することは、
前記通知識別子に基づいて前記触覚通知メッセージの前記通知タイプを判断することと、
前記通知タイプが１つ又は複数の通知タイプの所定のセット内にあるか否かを判断することと、
を更に含む、請求項１５に記載のコンピューター実施方法。
【請求項１７】
前記触覚効果は、前記通知タイプに基づいており、
前記触覚効果は、振動触覚効果、変形触覚効果、又は静電摩擦触覚効果のうちの１つを含む、請求項１６に記載のコンピューター実施方法。
【請求項１８】
前記触覚通知メッセージは触覚通知デバイス識別子を含み、
前記触覚通知メッセージを前記触覚通知デバイスのうちの一部に送信すべきか否かを判断することは、
前記触覚通知デバイス識別子に基づいて前記触覚通知デバイスの各々が前記ネットワークに登録されているか否かを判断することと、
を更に含む、請求項１５に記載のコンピューター実施方法。
【請求項１９】
前記ネットワークを用いて、前記触覚通知メッセージを少なくとも１つの他の器具に送信することを更に含み、
前記少なくとも１つの他の器具は、前記触覚通知メッセージの受信に応答して触覚通知を生成する、請求項１５に記載のコンピューター実施方法。
【請求項２０】
器具と２以上の触覚通知デバイスの組との間での触覚通知メッセージの通信を容易にする触覚通知メッセージコントロールシステムであって、
触覚通知通信モジュールを記憶するように構成されたメモリと、
前記メモリに記憶された前記触覚通知通信モジュールを実行するように構成されたプロセッサと、
を備え、
前記プロセッサは、前記触覚通知通信モジュールを実行すると、前記触覚通知メッセージコントロールシステムにおいて、ネットワーク内の前記器具から前記触覚通知メッセージを受信するように構成され、前記触覚通知メッセージは、前記器具が該器具の１又はそれ以上の動作特性を識別するイベントを検出したことを示し、
前記プロセッサは、前記触覚通知通信モジュールを実行すると、該触覚通知メッセージの通知タイプに基づいて、前記触覚通知メッセージを前記ネットワーク内の前記触覚通知デバイスのうちの一部に送信すべきか否かを判断するように更に構成され、
前記プロセッサは、前記触覚通知通信モジュールを実行すると、受信した前記触覚通知デバイスのうちの一部を識別する該触覚通知メッセージに含まれる識別子に従って、前記触覚通知メッセージを前記触覚通知デバイスのうちの一部に送信するように更に構成され、
前記触覚通知デバイスのうちの一部は、前記触覚通知メッセージの受信に応答してそれぞれ触覚通知を生成する、システム。
【請求項２１】
前記触覚通知は触覚効果を含み、
前記触覚通知メッセージは通知識別子を含み、
前記プロセッサは、前記触覚通知通信モジュールを実行すると、前記通知識別子に基づいて前記触覚通知メッセージの前記通知タイプを判断するように更に構成され、
前記プロセッサは、前記触覚通知通信モジュールを実行すると、前記通知タイプが１つ又は複数の通知タイプの所定のセット内にあるか否かを判断するように更に構成されている、請求項２０に記載のシステム。
【請求項２２】
前記触覚効果は、前記通知タイプに基づいており、
前記触覚効果は、振動触覚効果、変形触覚効果、又は静電摩擦触覚効果のうちの１つを含む、請求項２１に記載のシステム。
【請求項２３】
前記触覚通知メッセージは、触覚通知デバイス識別子を含み、
前記プロセッサは、前記触覚通知通信モジュールを実行すると、前記触覚通知デバイスのうちの一部が前記触覚通知デバイス識別子に基づいて前記ネットワークに登録されているか否かを判断するように更に構成されている、請求項２０に記載のシステム。
【請求項２４】
前記プロセッサは、前記触覚通知通信モジュールを実行すると、前記ネットワークを用いて、前記触覚通知メッセージを少なくとも１つの他の器具に送信するように更に構成され、
前記少なくとも１つの他の器具は、前記触覚通知メッセージの受信に応答して触覚通知を生成する、請求項２０に記載のシステム。
【請求項２５】
該触覚通知メッセージの通知タイプに基づいて、前記触覚通知メッセージを前記ネットワーク内の他の器具に送信すべきか否かを判断すること、を更に含む、請求項１に記載の不揮発性コンピューター可読媒体。
【請求項２６】
前記触覚通知デバイスのうちの一部に送信すべき前記触覚通知メッセージの通知タイプを判断すること、を更に含む、請求項１に記載の不揮発性コンピューター可読媒体。